(57)【要約】      （修正有）【課題】メンテナンスや修理が必要となる際に、操作簡単な煙探知機警報装置を提供する。【解決手段】操作簡単な煙探知機警報装置は、壁に固定される取り付けベース１０と取り付けベースと取り付けて設置される煙探知機警報器５０を含む。詳細には、煙探知機警報器５０の右側面には上下反対に嵌合ロッド５１が設置されており、嵌合ロッド５１は取付ベース１０の嵌合キャビティ１４と接続している。嵌合ロッド５１の内部側にはブロックスロット５２が設置されている。嵌合ロッド５１の右側面には電気凹溝５３が設置されている。電気接触点２２は、電気凹溝５３と嵌合するように接続している。ブロックヘッド３９は、ブロックスロット５２と嵌合するように接続している。【選択図】図１
2019133616.tif 000002
【特許請求の範囲】
【請求項１】
煙探知機警報装置であって、壁に固定される取り付けベースと前記取り付けベースと取り付けて設置される煙探知機警報器を含み、前記取り付けベースの左側面には上下反対に嵌合キャビティを設置しており、前記嵌合キャビティの右側面に第一摺動スロットを設置しており、二つの第一摺動スロットの間にスライディングキャビティを設置しており、前記スライディングキャビティ内部に左側面に鉄ロッドを設置しており、前記鉄ロッドにケーブルを設置しており、前記スライディングキャビティ内部で接続スライディングボードとスムーズに嵌合するように接続しており、前記スライディングボード右側をカバーする前記スライディングボードとスライディングキャビティ内側とのインパクト摩耗を防ぐための衝突防止シールを設置しており、前記スライディングボードの上端と下端は、前記第一摺動スロットに挿入しており、前記スライディングボードの左側の両端には、スライディングロッドが固定するように接続しており、前記スライディングロッドが左に延びておりその左端には電気接触点を設置しており、前記スライディングロッドと第一摺動スロットとスムーズに嵌合するように接続しており、前記スライディングボードの左側の中央部にはマグネットを設置しており、前記スライディングボードの左側面には上下反対にスプリングが接続しており、前記スプリングの左端はスライディングキャビティの内部右側に固定され接続されており、前記取り付けベースの中央部に中空キャビティを設置しており、前記中空キャビティは上下の嵌合キャビティと通じており、前記中空キャビティの右側の上下を通して第一スタッドを設置しており、前記第一スタッドの上部が中空キャビティから伸びて第一電気移送機を配合して設置しており、前記第一スタッドはスパイラルパターンにより二つのロックブロックと接続しており、前記ロックブロックは上下反対に設置されており、前記ロックブロックは中空キャビティとスムーズに嵌合するように接続しており、前記ロックブロックの左端にはロックヘッドが設置されており、前記嵌合キャビティ中央側の裏側に連通し第二摺動スロットが設置されており、前記第二摺動スロット中央側の裏側に連通し第一伝送キャビティが設置されており、前記第一伝送キャビティには第一コーンホイールが設置されており、前記第一コーンホイールは中部の一側の近くに第二スタッドを固定して設置されており、前記第二スタッドは内部に向き、第二摺動スロットに伸びており、前記第二スタッドにはスパイラルパターンにより、バッフルと接続されており、前記バッフルは第二摺動スロットとスムーズに接続しており、前記第一伝送キャビティに第一コーンホイールと係合して接続する第二コーンホイールが設置されており、前記第二コーンホイールの右側に第一トランスファーレバーが接続されており、前記第一トランスファーレバーは右方向へ第二のランスファーチャンバの中へ伸びており、前記第一トランスファーレバーの右端に第三コーンホイールが固定され設置されており、前記第二のランスファーチャンバの中に第三コーンホイールと係合して接続する第四コーンホイールが設置されており、前記第四コーンホイールの中央部に近くにある側面には電源接続により第二ランスファーレバーを設置されており、前記第二ランスファーレバーは内部へ伸びて第二電気移送機と接続しており、前記第二電気移送機にノイズ除去装置を設置しており、前記煙探知機警報装置の右側面には上下反対に嵌合ロッドが設置されており、前記嵌合ロッドは嵌合キャビティと接続しており、前記嵌合ロッドの内部側にはブロックスロットが設置されており、前記嵌合ロッドの右側面には電気凹溝が設置されており、前記電気接触点は電気凹溝と嵌合するように接続しており、前記ブロックヘッドはブロックスロットと嵌合するように接続しており、前記第一スタッドの上段と下段の螺旋は反対に設置されており、前記電気接触点は電気凹溝と電気的に接続しており、前記電気接触点は回路と電気的に接続しており、ケーブルは回路と電気的に接続しており、前記ノイズ除去装置は第二電気移送機の左右の側に設置しているマフラーパッドと第二電気移送機の前後の側に設置している防振板から構成されており、前記マフラーパッドと防振板が繋がっていることを特徴とする煙探知機警報装置。
【発明の詳細な説明】
【技術分野】
【０００１】
本発明は煙探知機警報装置の技術分野に関し、特に操作簡単な煙探知機警報装置に関する。
【背景技術】
【０００２】
人々の防火意識の高まりにつれて、煙探知機警報装置の使用は益々広くなっている。一般的に、従来の装置はボルトで壁に固定し設置され、壁内の外部配線との接続を通じて電源に繋がる。しかし、ボルトにより固定して設置する作業は煩瑣で、長時間かかることになり、煙式火災警報器が故障により、メンテナンスや修理が必要となる際、それを取り外す作業も簡単ではない。それに、メンテナンスや取り外す時、機器内の電源部に接触する恐れが大きく、軽度の場合はしびれで済むこともあるが、重度の場合は電撃を受け、感電事故に至ることもあり、メンテナンスや修理の際の安全性を脅かし、ヒヤリハットが存在する。
【先行技術文献】
【特許文献】
【０００３】
【特許文献１】中国特許出願公開第106408842号明細書
【発明の概要】
【発明が解決しようとする課題】
【０００４】
本発明は解決する必要な技術問題に対して、操作簡単な煙探知機警報装置を提供し、それは上記の現在の技術に存在している問題を解決できる。
【０００５】
上記の問題を解決するため、本発明は以下の技術方案を使う。
【０００６】
本発明に係る操作簡単な煙探知機警報装置は、壁に固定される取り付けベースと取り付けベースと取り付けて設置される煙探知機警報器を含む。前記取り付けベースの左側面には上下反対に嵌合キャビティを設置している。前記嵌合キャビティの右側面に第一摺動スロットを設置している。二つの第一摺動スロットの間にスライディングキャビティを設置している。前記スライディングキャビティ内部に左面に鉄ロッドを設置している。前記鉄ロッドにケーブルを設置している。前記スライディングキャビティ内部で接続スライディングボードとスムーズに嵌合するように接続している。前記スライディングボードとスライディングキャビティ内側とのインパクト摩耗を防ぐために、前記スライディングボード右側をカバーしている衝突防止シールを設置している。前記スライディングボードの上端と下端は、前記第一摺動スロットに挿入している。前記スライディングボードの左側の両端には、スライディングロッドが固定するように接続している。前記スライディングロッドが左に延びておりその左端には電気接触点を設置している。前記スライディングロッドと第一摺動スロットとスムーズに嵌合するように接続している。前記スライディングボードの左側の中央部にはマグネットを設置している。前記スライディングボードの左側面には上下反対にスプリングが接続している。前記スプリングの左端はスライディングキャビティの内部右側に固定され接続されている。前記取り付けベースの中央部に中空キャビティを設置している。前記中空キャビティは上下の嵌合キャビティと通じている。前記中空キャビティの右側の上下を通して第一スタッドを設置している。前記第一スタッドの上部が中空キャビティから伸びてそこに電源接続により第一電気移送機を設置している。前記第一スタッドにはスパイラルパターンにより二つのロックブロックと接続している。前記ロックブロックは上下反対に設置されている。前記ロックブロックは中空キャビティとスムーズに嵌合するように接続している。前記ロックブロックの左端にはロックヘッドが設置されてある。前記嵌合キャビティ中央側の裏側に連通し第二摺動スロットが設置されている。前記第二摺動スロット中央側の裏側に連通し第一伝送キャビティが設置されている。前記第一伝送キャビティには第一コーンホイールが設置されている。前記第一コーンホイールは中部の一側の近くに第二スタッドを固定して設置されている。前記第二スタッドは内部に向き第二摺動スロットに伸びている。前記第二スタッドにはスパイラルパターンにより、バッフルと接続されている。前記バッフルは第二摺動スロットとスムーズに接続している。前記第一伝送キャビティに第一コーンホイールと係合して接続する第二コーンホイールを設置されている。前記第二コーンホイールの右側に第一トランスファーレバーが連続されている。前記第一トランスファーレバーは右方向へ第二のランスファーチャンバの中へ伸びている。前記第一トランスファーレバーの右端に第三コーンホイールが固定され設置されている。前記第二のランスファーチャンバの中に第三コーンホイールと係合して接続する第四コーンホイールを設置されている。前記第四コーンホイールの中央部に近くにある側面には電源接続により第二ランスファーレバーを設置してされている。前記第二ランスファーレバーは内部へ伸びて電源接続により第二電気移送機と接続している。前記第二電気移送機にノイズ除去装置を設置している。
【０００７】
好ましい技術方案として前記煙探知機警報装置の右側面には上下反対に嵌合ロッドが設置されている。前記嵌合ロッドは嵌合キャビティと接続している。前記嵌合ロッドの内部側にはブロックスロットが設置されている。前記嵌合ロッドの右側面には電気凹溝が設置されている。前記電気接触点は電気凹溝と嵌合するように接続している。前記ブロックヘッドはブロックスロットと嵌合するように接続している。
【０００８】
好ましい技術方案として前記第一スタッドの上段と下段の螺旋は反対に設置されている。
【０００９】
好ましい技術方案として前記電気接触点は電気凹溝と電気的に接続している。前記電気接触点は回路と電気的に接続しており、ケーブルは回路と電気的に接続している。
【００１０】
好ましい技術方案として前記ノイズ除去装置は第二電気移送機の左右の側に設置しているマフラーパッドと第二電気移送機の前後の側に設置している防振板から構成されている。前記マフラーパッドと防振板が繋がっている。
【発明の効果】
【００１１】
本発明の構造が簡単で、使いやすく、煙探知機警報装置をしっかりと固定でき、緩みにより煙探知機警報装置機能の連続性と安定性に影響することを防ぐ。嵌合キャビティによりブロックが可能となり、電源に接続する際に、個々のコントロールができ、安全を確保する。
【図面の簡単な説明】
【００１２】
【図１】図１は本発明の操作簡単な煙探知機警報装置の全体構造図である。
【図２】図２は本発明の中の煙探知機警報装置とプラグとソケットの嵌合との接続の構造図である。
【図３】図３は本発明の操作簡単な煙探知機警報装置の側面図。
【図４】図４は本発明の第二電気移送機の構造図である。
【発明を実施するための形態】
【００１３】
本発明の実施例或いは既存の技術の技術方案をもっとはっきりと説明するため、以下に実施例或いは既存の技術説明を所要の図面を用いて簡単に紹介する。一目でわかることは下記の説明の中の図面はただ本発明のいくつかの実施例で、本分野の普通の技術者にとって、創造的な労働を払わない前提に、これらの図面によってそのほかの図面を得ることができる。
【００１４】
下記に図面を交え本発明の好ましい実施例を詳しく説明し、本発明の長所と特徴を本分野の技術者にもっと理解しやすくさせ、これにより本発明の保護範囲をもっと明確に画定する。
【００１５】
図１−４を参照し、本発明の新型の煙探知機警報装置は壁に固定される取り付けベース１０と、取り付けベース１０と取り付けて設置される煙探知機警報器５０を含む。前記取り付けベース１０の左側面には上下反対に嵌合キャビティ１４を設置している。前記嵌合キャビティ１４の右側面に第一摺動スロット２１を設置している。二つの第一摺動スロット２１の間にスライディングキャビティ３２を設置している。前記スライディングキャビティ３２内部に左面に鉄ロッド３５を設置している。前記鉄ロッド３５にケーブル３６を設置している。前記スライディングキャビティ３２内部で接続スライディングボード２９とスムーズに嵌合するように接続している。前記スライディングボード２９とスライディングキャビティ３２内側とのインパクト摩耗を防ぐために、前記スライディングボード２９右側をカバーしている衝突防止シール２９０を設置している。前記スライディングボード２９の上端と下端は、前記第一摺動スロット２１に挿入している。前記スライディングボード２９の左側の両端には、スライディングロッド３４が固定するように接続している。前記スライディングロッド３４が左に延びておりその左端には電気接触点を設置している。前記スライディングロッド３４と第一摺動スロット２１とスムーズに嵌合するように接続している。前記スライディングボード２９の左側の中央部にはマグネット３１を設置している。前記スライディングボード２９の左側面には上下反対にスプリング３３が接続している。前記スプリング３３の左端はスライディングキャビティ３２の内部右側に固定され接続されている。前記取り付けベース１０の中央部に中空キャビティ３８を設置している。前記中空キャビティ３８は上下の嵌合キャビティ１４と通じている。前記中空キャビティ３８の右側の上下を通して第一スタッド２８を設置している。前記第一スタッド２８の上部が中空キャビティ３８から伸びてそこに電源接続により第一電気移送機２７を設置している。前記第一スタッド２８にはスパイラルパターンにより二つのロックブロック３７と接続している。前記ロックブロック３７は上下反対に設置されている。前記ロックブロック３７は中空キャビティ３８とスムーズに嵌合するように接続している。前記ロックブロック３７の左端にはロックヘッド３９が設置されてある。前記嵌合キャビティ１４中央側の裏側に連通し第二摺動スロット１３が設置されている。前記第二摺動スロット１３中央側の裏側に連通し第一伝送キャビティ１１が設置されている。前記第一伝送キャビティ１１には第一コーンホイール１６が設置されている。前記第一コーンホイール１６は中部の一側の近くに第二スタッド１２を固定して設置されている。前記第二スタッド１２は内部に向き第二摺動スロット１３に伸びている。前記第二スタッド１２にはスパイラルパターンにより、バッフル１９と接続されている。前記バッフル１９は第二摺動スロット１３とスムーズに接続している。前記第一伝送キャビティ１１に第一コーンホイール１６と係合して接続する第二コーンホイール１７を設置されている。前記第二コーンホイール１７の右側に第一トランスファーレバー１８が連続されている。前記第一トランスファーレバー１８は右方向へ第二のランスファーチャンバ２４の中へ伸びている。前記第一トランスファーレバー１８の右端に第三コーンホイール２３が固定され設置されている。前記第二のランスファーチャンバ２４の中に第三コーンホイール２３と係合して接続する第四コーンホイール２５を設置されている。前記第四コーンホイール２５の中央部に近くにある側面には電源接続により第二ランスファーレバー２６を設置してされている。前記第二ランスファーレバー２６は内部へ伸びて電源接続により第二電気移送機３０と接続している。前記第二電気移送機にノイズ除去装置を設置している。
【００１６】
好ましくは前記煙探知機警報装置５０の右側面には上下反対に嵌合ロッド５１が設置されている。前記嵌合ロッド５１は嵌合キャビティ１４と接続している。前記嵌合ロッド５１の内部側にはブロックスロット５２が設置されている。前記嵌合ロッド５１の右側面には電気凹溝５３が設置されている。前記電気接触点２２は電気凹溝５３と嵌合するように接続している。前記ブロックヘッド３９はブロックスロット５２と嵌合するように接続している。
【００１７】
好ましくは前記第一スタッド２８の上段と下段の螺旋は反対に設置されている。
【００１８】
好ましくは前記電気接触点２２は電気凹溝５３と電気的に接続している。前記電気接触点２２は回路と電気的に接続しており、ケーブル３６は回路と電気的に接続している。
【００１９】
好ましくは前記ノイズ除去装置は第二電気移送機の左右の側に設置しているマフラーパッド３０１と第二電気移送機の前後の側に設置している防振板３０２から構成されている。前記マフラーパッド３０１と防振板３０２が繋がっている。前記ノイズ除去装置は第二電気移送機により発生する騒音や振動を効果的に低減することができる。
【００２０】
原初状態には、バッフル１９は、できるだけ遠くまで伸びており、第二摺動スロット１３は嵌合キャビティ１４をブロックする。ロックヘッド３９は完全に中空キャビティ３８の中にある。ケーブル３６は電気に接続しない。スライディングボード２９は、スプリング３３により、スライディングキャビティの一番右にある。
【００２１】
本発明が使用されている時、第二電気移送機３０の作業をコントロールする。第二電気移送機３０は、上下2本の第二伝動ロッド２６を回転駆動する。第二伝動ロッド２６は、四コーンホイール２５及び第三コーンホイール２３を回転駆動する。第三コーンホイール２３は、第一トランスファーレバー１８及び第二コーンホイール１７を回転駆動する。 第二コーンホイール１７は、第一コーンホイール１６及び第二スタッド１２を回転駆動する。嵌合キャビティ14が完全に開け、第二の回転電機３０の動作を停止させるまで、第二スタッド１２が回転して、バッフル１９を駆動し背中合わせの方向に移動させる。この時、嵌合ロッド５１は嵌合キャビティ１４と位置合わせて内側に押される。嵌合ロッド５１が嵌合キャビティ１４に完全に挿入されると、第一電気移送機２７がコントロールされ作動するようになる。第一電気移送機２７は、第一スタッド２８を回転駆動する。第一スタッド２８は、ロックヘッド３９がブロックスロット５２内に完全に延びて嵌合ロッド５１をブロックするまで、上下方向の二つロックブロック３７をそれぞれ両側に向かい移動させるように回転される。そして、ケーブル３６を電源に接続し、ケーブル３６と鉄ロッド３５と  磁界を発生させ、マグネット３１を左方向に移動させる。摺動板２９は、スプリング３３を克服し、摺動グレード３４を左方向に移動させる。電気接触点２２は、電気凹溝５３に完全に挿入され電気接続され、その結果、煙式火災警報機５０は通電され、煙感知の動作ができる。
【００２２】
本発明の構造が簡単で、使いやすく、煙探知機警報装置をしっかりと固定でき、緩みにより煙探知機警報装置の機能の連続性と安定性に影響することを防ぐ。嵌合キャビティによりブロックが可能となり、電源に接続する際に、個々のコントロールができ、安全を確保する。
【００２３】
以上に本発明の基本原理、主な特徴と本発明の長所を表示し説明した。本分野の技術者は本発明が以上の実施例の制限を受けなく、以上の実施例と説明書はただ本発明の原理を説明し、本発明の意義と範囲を離れない前提に本発明は各種の変化と改善があることを了解すべきである。これらの変化と改善は全部本発明の保護範囲にある。本発明の保護範囲は特許請求の範囲とその同等のものに画定される。
【図１】
2019133616.tif 000003
【図２】
2019133616.tif 000004
【図３】
2019133616.tif 000005
【図４】
2019133616.tif 000006
【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
煙探知機警報装置であって、壁に固定される取り付けベースと前記取り付けベースと取り付けて設置される煙探知機警報器を含み、前記取り付けベースの左側面には上下反対に嵌合キャビティを設置しており、前記嵌合キャビティの右側面に第一摺動スロットを設置しており、二つの第一摺動スロットの間にスライディングキャビティを設置しており、前記スライディングキャビティ内部に左側面に鉄ロッドを設置しており、前記鉄ロッドにケーブルを設置しており、前記スライディングキャビティ内部で接続スライディングボードとスムーズに嵌合するように接続しており、前記スライディングボード右側をカバーする前記スライディングボードとスライディングキャビティ内側とのインパクト摩耗を防ぐための衝突防止シールを設置しており、前記スライディングボードの上端と下端は、前記第一摺動スロットに挿入しており、前記スライディングボードの左側の両端には、スライディングロッドが固定するように接続しており、前記スライディングロッドが左に延びておりその左端には電気接触点を設置しており、前記スライディングロッドと第一摺動スロットとスムーズに嵌合するように接続しており、前記スライディングボードの左側の中央部にはマグネットを設置しており、前記スライディングボードの左側面には上下反対にスプリングが接続しており、前記スプリングの左端はスライディングキャビティの内部右側に固定され接続されており、前記取り付けベースの中央部に中空キャビティを設置しており、前記中空キャビティは上下の嵌合キャビティと通じており、前記中空キャビティの右側の上下を通して第一スタッドを設置しており、前記第一スタッドの上部が中空キャビティから伸びて第一電気移送機を配合して設置しており、前記第一スタッドはスパイラルパターンにより二つのロックブロックと接続しており、前記ロックブロックは上下反対に設置されており、前記ロックブロックは中空キャビティとスムーズに嵌合するように接続しており、前記ロックブロックの左端にはロックヘッドが設置されており、前記嵌合キャビティ中央側の裏側に連通し第二摺動スロットが設置されており、前記第二摺動スロット中央側の裏側に連通し第一伝送キャビティが設置されており、前記第一伝送キャビティには第一コーンホイールが設置されており、前記第一コーンホイールは中部の一側の近くに第二スタッドを固定して設置されており、前記第二スタッドは内部に向き、第二摺動スロットに伸びており、前記第二スタッドにはスパイラルパターンにより、バッフルと接続されており、前記バッフルは第二摺動スロットとスムーズに接続しており、前記第一伝送キャビティに第一コーンホイールと係合して接続する第二コーンホイールが設置されており、前記第二コーンホイールの右側に第一トランスファーレバーが接続されており、前記第一トランスファーレバーは右方向へ第二のランスファーチャンバの中へ伸びており、前記第一トランスファーレバーの右端に第三コーンホイールが固定され設置されており、前記第二のランスファーチャンバの中に第三コーンホイールと係合して接続する第四コーンホイールが設置されており、前記第四コーンホイールの中央部に近くにある側面には電源接続により第二ランスファーレバーを設置されており、前記第二ランスファーレバーは内部へ伸びて第二電気移送機と接続しており、前記第二電気移送機にノイズ除去装置を設置しており、前記煙探知機警報装置の右側面には上下反対に嵌合ロッドが設置されており、前記嵌合ロッドは嵌合キャビティと接続しており、前記嵌合ロッドの内部側にはブロックスロットが設置されており、前記嵌合ロッドの右側面には電気凹溝が設置されており、前記電気接触点は電気凹溝と嵌合するように接続しており、前記ロックヘッドはブロックスロットと嵌合するように接続しており、前記第一スタッドの上段と下段の螺旋は反対に設置されており、前記電気接触点は電気凹溝と電気的に接続しており、前記電気接触点は回路と電気的に接続しており、ケーブルは回路と電気的に接続しており、前記ノイズ除去装置は第二電気移送機の左右の側に設置しているマフラーパッドと第二電気移送機の前後の側に設置している防振板から構成されており、前記マフラーパッドと防振板が繋がっていることを特徴とする煙探知機警報装置。
【手続補正２】
【補正対象書類名】明細書
【補正対象項目名】全文
【補正方法】変更
【補正の内容】
【発明の詳細な説明】
【技術分野】
【０００１】
本発明は煙探知機警報装置の技術分野に関し、特に操作簡単な煙探知機警報装置に関する。
【背景技術】
【０００２】
人々の防火意識の高まりにつれて、煙探知機警報装置の使用は益々広くなっている。一般的に、従来の装置はボルトで壁に固定し設置され、壁内の外部配線との接続を通じて電源に繋がる。しかし、ボルトにより固定して設置する作業は煩瑣で、長時間かかることになり、煙式火災警報器が故障により、メンテナンスや修理が必要となる際、それを取り外す作業も簡単ではない。それに、メンテナンスや取り外す時、機器内の電源部に接触する恐れが大きく、軽度の場合はしびれで済むこともあるが、重度の場合は電撃を受け、感電事故に至ることもあり、メンテナンスや修理の際の安全性を脅かし、ヒヤリハットが存在する。
【先行技術文献】
【特許文献】
【０００３】
【特許文献１】中国特許出願公開第106408842号明細書
【発明の概要】
【発明が解決しようとする課題】
【０００４】
本発明は解決する必要な技術問題に対して、操作簡単な煙探知機警報装置を提供し、それは上記の現在の技術に存在している問題を解決できる。
【０００５】
上記の問題を解決するため、本発明は以下の技術方案を使う。
【０００６】
本発明に係る操作簡単な煙探知機警報装置は、壁に固定される取り付けベースと取り付けベースと取り付けて設置される煙探知機警報器を含む。前記取り付けベースの左側面には上下反対に嵌合キャビティを設置している。前記嵌合キャビティの右側面に第一摺動スロットを設置している。二つの第一摺動スロットの間にスライディングキャビティを設置している。前記スライディングキャビティ内部に左面に鉄ロッドを設置している。前記鉄ロッドにケーブルを設置している。前記スライディングキャビティ内部で接続スライディングボードとスムーズに嵌合するように接続している。前記スライディングボードとスライディングキャビティ内側とのインパクト摩耗を防ぐために、前記スライディングボード右側をカバーしている衝突防止シールを設置している。前記スライディングボードの上端と下端は、前記第一摺動スロットに挿入している。前記スライディングボードの左側の両端には、スライディングロッドが固定するように接続している。前記スライディングロッドが左に延びておりその左端には電気接触点を設置している。前記スライディングロッドと第一摺動スロットとスムーズに嵌合するように接続している。前記スライディングボードの左側の中央部にはマグネットを設置している。前記スライディングボードの左側面には上下反対にスプリングが接続している。前記スプリングの左端はスライディングキャビティの内部右側に固定され接続されている。前記取り付けベースの中央部に中空キャビティを設置している。前記中空キャビティは上下の嵌合キャビティと通じている。前記中空キャビティの右側の上下を通して第一スタッドを設置している。前記第一スタッドの上部が中空キャビティから伸びてそこに電源接続により第一電気移送機を設置している。前記第一スタッドにはスパイラルパターンにより二つのロックブロックと接続している。前記ロックブロックは上下反対に設置されている。前記ロックブロックは中空キャビティとスムーズに嵌合するように接続している。前記ロックブロックの左端にはロックヘッドが設置されてある。前記嵌合キャビティ中央側の裏側に連通し第二摺動スロットが設置されている。前記第二摺動スロット中央側の裏側に連通し第一伝送キャビティが設置されている。前記第一伝送キャビティには第一コーンホイールが設置されている。前記第一コーンホイールは中部の一側の近くに第二スタッドを固定して設置されている。前記第二スタッドは内部に向き第二摺動スロットに伸びている。前記第二スタッドにはスパイラルパターンにより、バッフルと接続されている。前記バッフルは第二摺動スロットとスムーズに接続している。前記第一伝送キャビティに第一コーンホイールと係合して接続する第二コーンホイールを設置されている。前記第二コーンホイールの右側に第一トランスファーレバーが連続されている。前記第一トランスファーレバーは右方向へ第二のランスファーチャンバの中へ伸びている。前記第一トランスファーレバーの右端に第三コーンホイールが固定され設置されている。前記第二のランスファーチャンバの中に第三コーンホイールと係合して接続する第四コーンホイールを設置されている。前記第四コーンホイールの中央部に近くにある側面には電源接続により第二ランスファーレバーを設置してされている。前記第二ランスファーレバーは内部へ伸びて電源接続により第二電気移送機と接続している。前記第二電気移送機にノイズ除去装置を設置している。
【０００７】
好ましい技術方案として前記煙探知機警報装置の右側面には上下反対に嵌合ロッドが設置されている。前記嵌合ロッドは嵌合キャビティと接続している。前記嵌合ロッドの内部側にはブロックスロットが設置されている。前記嵌合ロッドの右側面には電気凹溝が設置されている。前記電気接触点は電気凹溝と嵌合するように接続している。前記ロックヘッドはブロックスロットと嵌合するように接続している。
【０００８】
好ましい技術方案として前記第一スタッドの上段と下段の螺旋は反対に設置されている。
【０００９】
好ましい技術方案として前記電気接触点は電気凹溝と電気的に接続している。前記電気接触点は回路と電気的に接続しており、ケーブルは回路と電気的に接続している。
【００１０】
好ましい技術方案として前記ノイズ除去装置は第二電気移送機の左右の側に設置しているマフラーパッドと第二電気移送機の前後の側に設置している防振板から構成されている。前記マフラーパッドと防振板が繋がっている。
【発明の効果】
【００１１】
本発明の構造が簡単で、使いやすく、煙探知機警報装置をしっかりと固定でき、緩みにより煙探知機警報装置機能の連続性と安定性に影響することを防ぐ。嵌合キャビティによりブロックが可能となり、電源に接続する際に、個々のコントロールができ、安全を確保する。
【図面の簡単な説明】
【００１２】
【図１】図１は本発明の操作簡単な煙探知機警報装置の全体構造図である。
【図２】図２は本発明の中の煙探知機警報装置とプラグとソケットの嵌合との接続の構造図である。
【図３】図３は本発明の操作簡単な煙探知機警報装置の側面図。
【図４】図４は本発明の第二電気移送機の構造図である。
【発明を実施するための形態】
【００１３】
本発明の実施例或いは既存の技術の技術方案をもっとはっきりと説明するため、以下に実施例或いは既存の技術説明を所要の図面を用いて簡単に紹介する。一目でわかることは下記の説明の中の図面はただ本発明のいくつかの実施例で、本分野の普通の技術者にとって、創造的な労働を払わない前提に、これらの図面によってそのほかの図面を得ることができる。
【００１４】
下記に図面を交え本発明の好ましい実施例を詳しく説明し、本発明の長所と特徴を本分野の技術者にもっと理解しやすくさせ、これにより本発明の保護範囲をもっと明確に画定する。
【００１５】
図１−４を参照し、本発明の新型の煙探知機警報装置は壁に固定される取り付けベース１０と、取り付けベース１０と取り付けて設置される煙探知機警報器５０を含む。前記取り付けベース１０の左側面には上下反対に嵌合キャビティ１４を設置している。前記嵌合キャビティ１４の右側面に第一摺動スロット２１を設置している。二つの第一摺動スロット２１の間にスライディングキャビティ３２を設置している。前記スライディングキャビティ３２内部に左面に鉄ロッド３５を設置している。前記鉄ロッド３５にケーブル３６を設置している。前記スライディングキャビティ３２内部で接続スライディングボード２９とスムーズに嵌合するように接続している。前記スライディングボード２９とスライディングキャビティ３２内側とのインパクト摩耗を防ぐために、前記スライディングボード２９右側をカバーしている衝突防止シール２９０を設置している。前記スライディングボード２９の上端と下端は、前記第一摺動スロット２１に挿入している。前記スライディングボード２９の左側の両端には、スライディングロッド３４が固定するように接続している。前記スライディングロッド３４が左に延びておりその左端には電気接触点を設置している。前記スライディングロッド３４と第一摺動スロット２１とスムーズに嵌合するように接続している。前記スライディングボード２９の左側の中央部にはマグネット３１を設置している。前記スライディングボード２９の左側面には上下反対にスプリング３３が接続している。前記スプリング３３の左端はスライディングキャビティ３２の内部右側に固定され接続されている。前記取り付けベース１０の中央部に中空キャビティ３８を設置している。前記中空キャビティ３８は上下の嵌合キャビティ１４と通じている。前記中空キャビティ３８の右側の上下を通して第一スタッド２８を設置している。前記第一スタッド２８の上部が中空キャビティ３８から伸びてそこに電源接続により第一電気移送機２７を設置している。前記第一スタッド２８にはスパイラルパターンにより二つのロックブロック３７と接続している。前記ロックブロック３７は上下反対に設置されている。前記ロックブロック３７は中空キャビティ３８とスムーズに嵌合するように接続している。前記ロックブロック３７の左端にはロックヘッド３９が設置されてある。前記嵌合キャビティ１４中央側の裏側に連通し第二摺動スロット１３が設置されている。前記第二摺動スロット１３中央側の裏側に連通し第一伝送キャビティ１１が設置されている。前記第一伝送キャビティ１１には第一コーンホイール１６が設置されている。前記第一コーンホイール１６は中部の一側の近くに第二スタッド１２を固定して設置されている。前記第二スタッド１２は内部に向き第二摺動スロット１３に伸びている。前記第二スタッド１２にはスパイラルパターンにより、バッフル１９と接続されている。前記バッフル１９は第二摺動スロット１３とスムーズに接続している。前記第一伝送キャビティ１１に第一コーンホイール１６と係合して接続する第二コーンホイール１７を設置されている。前記第二コーンホイール１７の右側に第一トランスファーレバー１８が連続されている。前記第一トランスファーレバー１８は右方向へ第二のランスファーチャンバ２４の中へ伸びている。前記第一トランスファーレバー１８の右端に第三コーンホイール２３が固定され設置されている。前記第二のランスファーチャンバ２４の中に第三コーンホイール２３と係合して接続する第四コーンホイール２５を設置されている。前記第四コーンホイール２５の中央部に近くにある側面には電源接続により第二ランスファーレバー２６を設置してされている。前記第二ランスファーレバー２６は内部へ伸びて電源接続により第二電気移送機３０と接続している。前記第二電気移送機にノイズ除去装置を設置している。
【００１６】
好ましくは前記煙探知機警報装置５０の右側面には上下反対に嵌合ロッド５１が設置されている。前記嵌合ロッド５１は嵌合キャビティ１４と接続している。前記嵌合ロッド５１の内部側にはブロックスロット５２が設置されている。前記嵌合ロッド５１の右側面には電気凹溝５３が設置されている。前記電気接触点２２は電気凹溝５３と嵌合するように接続している。前記ロックヘッド３９はブロックスロット５２と嵌合するように接続している。
【００１７】
好ましくは前記第一スタッド２８の上段と下段の螺旋は反対に設置されている。
【００１８】
好ましくは前記電気接触点２２は電気凹溝５３と電気的に接続している。前記電気接触点２２は回路と電気的に接続しており、ケーブル３６は回路と電気的に接続している。
【００１９】
好ましくは前記ノイズ除去装置は第二電気移送機の左右の側に設置しているマフラーパッド３０１と第二電気移送機の前後の側に設置している防振板３０２から構成されている。前記マフラーパッド３０１と防振板３０２が繋がっている。前記ノイズ除去装置は第二電気移送機により発生する騒音や振動を効果的に低減することができる。
【００２０】
原初状態には、バッフル１９は、できるだけ遠くまで伸びており、第二摺動スロット１３は嵌合キャビティ１４をブロックする。ロックヘッド３９は完全に中空キャビティ３８の中にある。ケーブル３６は電気に接続しない。スライディングボード２９は、スプリング３３により、スライディングキャビティの一番右にある。
【００２１】
本発明が使用されている時、第二電気移送機３０の作業をコントロールする。第二電気移送機３０は、上下2本の第二伝動ロッド２６を回転駆動する。第二伝動ロッド２６は、四コーンホイール２５及び第三コーンホイール２３を回転駆動する。第三コーンホイール２３は、第一トランスファーレバー１８及び第二コーンホイール１７を回転駆動する。 第二コーンホイール１７は、第一コーンホイール１６及び第二スタッド１２を回転駆動する。嵌合キャビティ14が完全に開け、第二の回転電機３０の動作を停止させるまで、第二スタッド１２が回転して、バッフル１９を駆動し背中合わせの方向に移動させる。この時、嵌合ロッド５１は嵌合キャビティ１４と位置合わせて内側に押される。嵌合ロッド５１が嵌合キャビティ１４に完全に挿入されると、第一電気移送機２７がコントロールされ作動するようになる。第一電気移送機２７は、第一スタッド２８を回転駆動する。第一スタッド２８は、ロックヘッド３９がブロックスロット５２内に完全に延びて嵌合ロッド５１をブロックするまで、上下方向の二つロックブロック３７をそれぞれ両側に向かい移動させるように回転される。そして、ケーブル３６を電源に接続し、ケーブル３６と鉄ロッド３５と  磁界を発生させ、マグネット３１を左方向に移動させる。摺動板２９は、スプリング３３を克服し、摺動グレード３４を左方向に移動させる。電気接触点２２は、電気凹溝５３に完全に挿入され電気接続され、その結果、煙式火災警報機５０は通電され、煙感知の動作ができる。
【００２２】
本発明の構造が簡単で、使いやすく、煙探知機警報装置をしっかりと固定でき、緩みにより煙探知機警報装置の機能の連続性と安定性に影響することを防ぐ。嵌合キャビティによりブロックが可能となり、電源に接続する際に、個々のコントロールができ、安全を確保する。
【００２３】
以上に本発明の基本原理、主な特徴と本発明の長所を表示し説明した。本分野の技術者は本発明が以上の実施例の制限を受けなく、以上の実施例と説明書はただ本発明の原理を説明し、本発明の意義と範囲を離れない前提に本発明は各種の変化と改善があることを了解すべきである。これらの変化と改善は全部本発明の保護範囲にある。本発明の保護範囲は特許請求の範囲とその同等のものに画定される。